(57)【要約】【課題】  永久磁石を使用して興趣のある移動玩具を提供する。また、これを発展させて効率の良い動力取出しを行う。【解決手段】  フレームに設けられるローラに取り付けられた従動磁石と、従動磁石に作用させる原動磁石とからなり、原動磁石を手で持って位置や角度を変えて従動磁石に近づけたり、遠ざけたりすることで、ローラを回転させてフレームに前進、後退、転回といった任意の動きをさせることを特徴とする磁石を利用した移動玩具。【選択図】  図１
2005334514.tif 000002
【特許請求の範囲】
【請求項１】
フレームに設けられるローラに取り付けられた従動磁石と、従動磁石に作用させる原動磁石とからなり、原動磁石を手で持って位置や角度を変えて従動磁石に近づけたり、遠ざけたりすることで、ローラを回転させてフレームに前進、後退、転回といった任意の動きをさせることを特徴とする磁石を利用した移動玩具。
【請求項２】
従動磁石以外を非磁性体で構成した請求項１の磁石を利用した移動玩具。
【請求項３】
従動磁石以外も磁性体で構成した請求項１の磁石を利用した移動玩具。
【請求項４】
原動磁石に突出部を有する磁性体の磁力誘導片を吸着し、この磁力誘導片を手で持って手から突出した突出部を従動磁石に近づけたり、遠ざけたりする請求項１〜３いずれか１項の磁石を利用した移動玩具。
【請求項５】
ローラが一つ又は複数であり、従動磁石がその任意のものに取り付けられる請求項１〜４いずれか１項の磁石を利用する移動玩具。
【請求項６】
ローラが前後二つ設けられるものであり、従動磁石が各ローラに巻き掛けられるベルトである請求項１〜５いずれか１項の磁石を利用した移動玩具。
【発明の詳細な説明】
【技術分野】
【０００１】
本発明は、永久磁石を利用した移動玩具に関するものである。
【背景技術】
【０００２】
永久磁石を利用した玩具として、例えば、下記特許文献１がある。これは、下方が球面をした非磁性体の容器に従動磁石を取り付けた人形等を収納し、この容器に別の磁石である原動磁石を不規則な動きで近づけたり、遠ざけたりすることで、容器（人形）がくるくる回転しながら不規則に移動するものである。この原理は、原動磁石の動きによってこれと従動磁石のＮ極とＳ極とが複雑に吸引したり、反発したりすることで、人形が回転と移動を行いながら移動するもので、動き自体は単純であり、昔から知られたものである。
【特許文献１】特開平１１−３１９３３５号公報
【発明の開示】
【発明が解決しようとする課題】
【０００３】
本発明が解決しようとする課題は、以上の原理をローラに適用し、原動磁石の操作でこのローラを転動させて自動車のように動かすことで、動きに多様性を持たせ、興趣を高めたものである。
【課題を解決するための手段】
【０００４】
以上の課題の下、本発明は、請求項１に記載した、フレームに設けられるローラに取り付けられた従動磁石と、従動磁石に作用させる原動磁石とからなり、原動磁石を手で持って位置や角度を変えて従動磁石に近づけたり、遠ざけたりすることで、ローラを回転させてフレームに前進、後退、転回といった任意の動きをさせることを特徴とする磁石を利用した移動玩具を提供したものである。
【発明の効果】
【０００５】
本発明によると、フレームは手の動かしようで前進、後退、転回を任意的、恣意的に行うから、あたかも自動車を操縦しているような感覚になり、高度な技能が要求されて興趣の高いものになる。
【発明を実施するための最良の形態】
【０００６】
以下、本発明の実施の形態について図面を参照して説明する。図１は本発明の一例を示す移動玩具であるが、本例の移動玩具Ａは、フレーム１の前部に左ローラ２と右ローラ３を取り付け、後部に後部ローラ４を取り付けた三輪構造のものである。なお、本例では、フレーム１に対する各ローラ２〜４の取付けをピン５、６によっており、このうち、前方のピン５は左右連続したものとしているが、これに拘らない。要は、各ローラ２〜４が自由に転動できればよい。この場合、図示は省略するが、フレーム１に車体構造を取り付けて自動車に模すことも可能であるし、ローラは四輪構造としてもよい。
【０００７】
そして、本例では、左ローラ２をやや幅広のものとしてこの中に従動磁石７を収容している。図２はこれを示す断面図であるが、従動磁石７を円筒形のものにしてこれにピン５を通し、従動磁石７の外周を非磁性体の外套８で覆っている。従動磁石７が円筒形をしていると、その側面である内側端面と外側端面とがＮ極とＳ極とに分極する。ところで、磁石はどのような形状をしていようと、必ずＮ極とＳ極とに分極するから、従動磁石７は、上記した形状のものに限らない。なお、外套８を非磁性体としたのは、従動磁石７を隠すとともに、その磁力を弱めるためで、安全性と興趣を増すためである。
【０００８】
これに伴い、本例では、従動磁石７以外のフレーム１やローラ３、４及びピン５、６をすべて非磁性体の、例えば、ステンレス、銅等で構成している。このように、従動磁石７以外のものを非磁性体とするのは、動きを簡略化して（磁性体の数が少ないから）興趣を高めるためである。ただし、従動磁石７以外の全部又は一部が磁性体であってもよく、その場合は、より複雑な動きをする。また、従動磁石７は左ローラ２だけに設けたが、右ローラ３や後部ローラ４に設けてもよい。
【０００９】
以上の移動玩具Ａは原動磁石９で操作する。原動磁石９の形状も問わないが、従動磁石７と同様の市販されている円筒形のものを使用すれば安く入手できる。この原動磁石９を手で持って移動玩具Ａに近づけたり、遠ざけたりすれば、その方向、角度及び距離によって原動磁石９と従動磁石７のＮ極とＳ極とが相互に作用して吸引、反発し合って左ローラ２（それに伴って右ローラ３及び後部ローラ４も）が転動し、移動玩具Ａは前進、後退、転回する。その方向については一概にはいえず、要するに、原動磁石９と従動磁石７との位置関係による。この点で、動きは、任意的、恣意的といえる。
【００１０】
ところで、以上は、原動磁石８を直接手で握って操作するものであるが、これが小さいと、掌の中に隠れてしまい、移動玩具Ａが手と衝突したときに手を傷つけるといったことがある。このため、掌よりも大きくて前方に突出部１０ａを有する磁力誘導片１０を原動磁石８に吸着させ、磁力誘導片１０を手で持って操作することもある。図３は磁力誘導片１０を手で握った状態の説明図であるが、これを握れば、突出部１０ａが前方に突出するから、この部分を移動玩具Ａに遠近させればよい（衝突しても手を傷つけたりしない）。なお、この磁力誘導片１０は原動磁石９の磁力を弱めて移動玩具Ａの動きを鈍くして安全性を高めるという役目も有する。
【００１１】
図４は本発明の他の例を示す移動玩具Ｂの斜視図であるが、本例のものは、幅広のローラ１１、１２を左右のフレーム１３で一定間隔隔てて配置し、ローラ１１、１２の外周に可撓性のベルト磁石１４を巻き掛け、このベルト磁石１４を従動磁石１４としたものである（Ｎ極とＳ極とに分極する点は変わらない）。この場合、従動磁石１４以外を非磁性体で構成して興趣を高めている。なお、ローラ１１、１２は、左右が分割した薄い車輪型であってもよいし、その中に従動磁石を収容してもよい（その場合は、ベルトは非磁性体とした方が動きが簡略化する）。
【図面の簡単な説明】
【００１２】
【図１】本発明の一例を示す移動玩具の斜視図である。
【図２】移動玩具のローラの断面図である。
【図３】本発明の一例を示す磁力誘導片の斜視図である。
【図４】本発明の他の一例を示す移動玩具の斜視図手ある。
【符号の説明】
【００１３】
Ａ  移動玩具
Ｂ  移動玩具
１    フレーム
２    左ローラ
３    右ローラ
４    後部ローラ
５    ピン
６    ピン
７    従動磁石
８    外套
９    原動磁石
１０    磁力誘導片
１０ａ  突出部
１１    ローラ
１２    ローラ
１３    フレーム
１４    ベルト磁石
【図１】
2005334514.tif 000003
【図２】
2005334514.tif 000004
【図３】
2005334514.tif 000005
【図４】
2005334514.tif 000006